(57)【要約】【課題】最適なトリミング位置のプリント画像を作業者に依存せず得ることができるプリント画像データ生成システム及びプリント画像データ生成プログラムを提供すること。【解決手段】撮影条件に対応づけられたプリント余白条件を記憶する記憶手段と、画像データを取得する画像データ取得手段と、前記記憶手段に記憶されたプリント余白条件から取得した画像データの撮影条件に対応するプリント余白条件を選択する選択手段と、前記選択手段で選択されたプリント余白条件に基づき前記画像データ取得手段で取得された画像データを拡大又は縮小した画像データを生成する拡大縮小手段とを有することを特徴とするプリント画像データ生成システム。【選択図】          図２
2005041003.tif 000002
【特許請求の範囲】
【請求項１】
撮影条件に対応づけられたプリント余白条件を記憶する記憶手段と、画像データを取得する画像データ取得手段と、前記記憶手段に記憶されたプリント余白条件から取得した画像データの撮影条件に対応するプリント余白条件を選択する選択手段と、前記選択手段で選択されたプリント余白条件に基づき前記画像データ取得手段で取得された画像データを拡大又は縮小した画像データを生成する拡大縮小手段とを有することを特徴とするプリント用画像データ生成システム。
【請求項２】
前記撮影条件は、写真館、写真スタジオ、撮影者又は撮影シーンの何れか１つを特定する情報であることを特徴とする請求項１記載のプリント用画像データ生成システム。
【請求項３】
前記プリント余白条件は、余白の長さ又は余白の比率を指定するものであることを特徴とする請求項１又は２記載のプリント用画像データ生成システム。
【請求項４】
前記画像データは、当該画像データの撮影条件を付帯情報として有しており、前記選択手段は、該付帯情報に基づいてプリント余白条件を選択することを特徴とする請求項１、２又は３記載のプリント用画像データ生成システム。
【請求項５】
前記画像データ取得手段で取得した画像データの撮影条件を入力する入力手段を有し、前記選択手段は、該入力手段において入力された撮影条件に基づいてプリント余白条件を選択することを特徴とする請求項１、２又は３記載のプリント用画像データ生成システム。
【請求項６】
前記記憶手段において、プリント余白条件は、前記撮影条件毎にプリントサイズと関連付けて記憶されることを特徴とする請求項１〜５の何れかに記載のプリント用画像データ生成システム。
【請求項７】
前記請求項１乃至６のいずれかに記載のプリント用画像データ生成システムで生成された画像データに基づきプリントを作成するプリント作成手段を有することを特徴とするプリント作成システム。
【請求項８】
コンピュータを、撮影条件に対応づけられたプリント余白条件を記憶する記憶手段に記憶されたプリント余白条件から画像データを取得する画像データ取得手段で取得した画像データの撮影条件に対応するプリント余白条件を選択する選択手段と、前記選択手段で選択されたプリント余白条件に基づき前記画像データ取得手段で取得された画像データを拡大又は縮小した画像データを生成する拡大縮小手段として機能させることを特徴とするプリント用画像データ生成プログラム。
【請求項９】
前記撮影条件は、写真館、写真スタジオ、撮影者又は撮影シーンの何れか１つを特定する情報であることを特徴とする請求項８記載のプリント用画像データ生成プログラム。
【請求項１０】
前記プリント余白条件は、余白の長さ又は余白の比率を指定するものであることを特徴とする請求項８又は９記載のプリント用画像データ生成プログラム。
【請求項１１】
前記画像データは、当該画像データの撮影条件を付帯情報として有しており、前記選択手段は、該付帯情報に基づいてプリント余白条件を選択することを特徴とする請求項８、９又は１０記載のプリント用画像データ生成プログラム。
【請求項１２】
前記選択手段は、該画像データ取得手段で取得した画像データの撮影条件を入力する入力手段において入力された撮影条件に基づいてプリント余白条件を選択することを特徴とする請求項８、９又は１０記載のプリント用画像データ生成プログラム。
【発明の詳細な説明】
【０００１】
【発明の属する技術分野】
本発明は、プリント用画像データ生成システム、プリント作成システム及びプリント用画像データ生成プログラムに関し、詳しくはトリミング作業が簡略化できるプリント用画像データ生成システム、プリント作成システム及びプリント用画像データ生成プログラムに関する。
【０００２】
【従来の技術】
写真館においては、婚礼写真（着物やドレスを着た新婦一人写し、新郎新婦写真、集合写真など）、成人式写真（各種成人式衣装を着た写真など）、見合い写真など各種の人物写真撮影が行われている。
【０００３】
写真館において、人物写真は撮影したものをそのままプリントしてもユーザー（例えば写真館側の人）の満足が得られるとは限らない。特に１枚のプリント画像内での人物の位置や大きさなどが不満な場合が多い。この場合、撮影をやり直すことも考えられるが、それでは写真館としても煩雑であるので、トリミングが行われている。
【０００４】
従来のトリミング手法を見ると、アナログプリンタで、プリンタ倍率を変えて所望のトリミング位置に画像がプリントされることを確認してから実際のプリントを行っていた。通常、所望のトリミング位置に画像プリントされるまでには２〜３回焼き直しをしているのが実情である。
【０００５】
このようなトリミングは、作業者のカンと経験に基づいて行われており、別の作業者がトリミングをした場合に、明らかにトリミング位置が異なるような画像になってしまい、作業者に依存する部分が多い作業であった。
【０００６】
【発明が解決しようとする課題】
そこで、本発明者は、写真館、写真スタジオ、撮影者又は撮影シーン等の撮影条件によって大体同じトリミング位置に画像がプリントされる傾向にあることを見出し、本発明に至った。
【０００７】
本発明の課題は、最適なトリミング位置のプリント画像を作業者に依存せず得ることができるプリント用画像データ生成システム及びプリント用画像データ生成プログラムを提供することを課題とする。
【０００８】
本発明の他の課題は、該プリント用画像データ生成システムにより得られたプリント画像をプリントすることができるプリント作成システムを提供することを課題とする。
【０００９】
本発明の他の課題は、本発明の以下の記載によって明らかになる。
【００１０】
【課題を解決するための手段】
上記課題は以下の各発明によって解決される。
【００１１】
（請求項１）撮影条件に対応づけられたプリント余白条件を記憶する記憶手段と、画像データを取得する画像データ取得手段と、前記記憶手段に記憶されたプリント余白条件から取得した画像データの撮影条件に対応するプリント余白条件を選択する選択手段と、前記選択手段で選択されたプリント余白条件に基づき前記画像データ取得手段で取得された画像データを拡大又は縮小した画像データを生成する拡大縮小手段とを有することを特徴とするプリント用画像データ生成システム。
【００１２】
（請求項２）前記撮影条件は、写真館、写真スタジオ、撮影者又は撮影シーンの何れか１つを特定する情報であることを特徴とする請求項１記載のプリント用画像データ生成システム。
【００１３】
（請求項３）前記プリント余白条件は、余白の長さ又は余白の比率を指定するものであることを特徴とする請求項１又は２記載のプリント用画像データ生成システム。
【００１４】
（請求項４）前記画像データは、当該画像データの撮影条件を付帯情報として有しており、前記選択手段は、該付帯情報に基づいてプリント余白条件を選択することを特徴とする請求項１、２又は３記載のプリント用画像データ生成システム。
【００１５】
（請求項５）前記画像データ取得手段で取得した画像データの撮影条件を入力する入力手段を有し、前記選択手段は、該入力手段において入力された撮影条件に基づいてプリント余白条件を選択することを特徴とする請求項１、２又は３記載のプリント用画像データ生成システム。
【００１６】
（請求項６）前記記憶手段において、プリント余白条件は、前記撮影条件毎にプリントサイズと関連付けて記憶されることを特徴とする請求項１〜５の何れかに記載のプリント用画像データ生成システム。
【００１７】
（請求項７）前記請求項１乃至６のいずれかに記載のプリント用画像データ生成システムで生成された画像データに基づきプリントを作成するプリント作成手段を有することを特徴とするプリント作成システム。
【００１８】
（請求項８）コンピュータを、撮影条件に対応づけられたプリント余白条件を記憶する記憶手段に記憶されたプリント余白条件から画像データを取得する画像データ取得手段で取得した画像データの撮影条件に対応するプリント余白条件を選択する選択手段と、前記選択手段で選択されたプリント余白条件に基づき前記画像データ取得手段で取得された画像データを拡大又は縮小した画像データを生成する拡大縮小手段として機能させることを特徴とするプリント用画像データ生成プログラム。
【００１９】
（請求項９）前記撮影条件は、写真館、写真スタジオ、撮影者又は撮影シーンの何れか１つを特定する情報であることを特徴とする請求項８記載のプリント用画像データ生成プログラム。
【００２０】
（請求項１０）前記プリント余白条件は、余白の長さ又は余白の比率を指定するものであることを特徴とする請求項８又は９記載のプリント用画像データ生成プログラム。
【００２１】
（請求項１１）前記画像データは、当該画像データの撮影条件を付帯情報として有しており、前記選択手段は、該付帯情報に基づいてプリント余白条件を選択することを特徴とする請求項８、９又は１０記載のプリント用画像データ生成プログラム。
【００２２】
（請求項１２）前記選択手段は、該画像データ取得手段で取得した画像データの撮影条件を入力する入力手段において入力された撮影条件に基づいてプリント余白条件を選択することを特徴とする請求項８、９又は１０記載のプリント用画像データ生成プログラム。
【００２３】
【発明の実施の形態】
以下、本発明の実施の形態について図面を参照して説明する。
【００２４】
図１は、本発明のプリント用画像データ生成プログラムを実現するプリント用画像データ生成システムの概略構成の一例を示す図である。
【００２５】
図１において、本発明のプリント用画像データ生成システムは、各種処理を行うコンピュータ１００、ＣＤ−Ｒ等の記録媒体から画像を読み取る画像データ取得手段としてのＣＤ−Ｒドライブ２００、画像の表示を行う表示手段としてのモニタ３００、各種入力を行うキーボード４００及びマウス５００を備えている。６００は好ましく設けられるプリンタであり、プリンタ６００を設けることによってプリント作成システムとして機能することができる。
【００２６】
コンピュータ１００は本発明のプリント用画像データ生成プログラムをインストールすることにより、ＣＤ−Ｒドライブ２００、モニタ３００、キーボード４００及びマウス５００、プリンタ６００を制御しつつ各種処理を行う。
【００２７】
ＣＤ−Ｒドライブ２００は、拡大又は縮小される対象となる画像データを取得する画像データ取得手段の一例である。ＣＤ−Ｒドライブの他に、コンパクトフラッシュ（登録商標）、スマートメディア、メモリースティック（登録商標）、マルチメディアカード、ＳＤメモリーカード、フレキシブルディスク、ＭＯ等の外部記録媒のデータを取得する手段であればよい。具体的には、撮影された画像データが記録されたＣＤ−Ｒ等の記録媒体から画像データを取得する。取得した画像データはコンピュータ１００に送信される。
【００２８】
また、本発明の画像表示システムにおいては、画像データ取得手段としてネットワークカードやＬＡＮカード等の通信装置を有し、コンピュータ１００が該通信装置によって外部装置とデータの送受をすることができることが好ましい。通信形態は、有線と無線のいずれでもよく、インターネット、ＬＡＮ、専用の通信回線等、その形態は問わない。
【００２９】
モニタ３００は、コンピュータ１００の制御に基づいて必要に応じて画像データを表示する表示手段である。モニタ３００は、必要に応じてタッチパネルの機能を持ち、入力装置を兼ねることもできる。
【００３０】
キーボード４００及びマウス５００は、後述するオペレータによる画像データにおける画像部分の指定の際に、選択処理において、必要に応じてユーザが入力するための装置として用いられる。
【００３１】
プリンタ６００は、プリント作成システムとして、プリントを作成する際に、プリント用画像データ生成システムにより生成されたプリント用画像データに基づいてプリントを行う。
【００３２】
図２は、プリント用画像データ生成システムに用いられるコンピュータ１００のブロック図である。
【００３３】
コンピュータ１００は、プリント用画像データ生成システムの各部を制御するメイン制御部１０１と、プログラムを格納したり各種データを記憶したりする主記憶部１０２と、画像データ取得手段で取得した画像データを入力する画像データ入力部１０３と、表示手段の表示を制御する表示制御部１０４と、撮影条件に対応づけられたプリント余白条件を記憶する記憶手段に記憶されたプリント余白条件から画像データを取得する画像データ取得手段で取得した画像データの撮影条件に対応するプリント余白条件を選択する選択処理部１０５と、選択されたプリント余白条件に基づき取得した画像データを拡大又は縮小する処理を行う拡大・縮小処理部１０６と、ユーザの操作入力を受け付ける操作入力部１０７と、生成したプリント用画像データを出力するプリント用画像データ出力部１０８と、外部装置とのデータの送受を行うための外部通信部１０９とを備えている。
【００３４】
本発明のプリント用画像データ生成システムにおいて、撮影条件に対応づけられたプリント余白条件を記憶する記憶手段は、主記憶部２により実現される態様でもよいし、外部に設けられたサーバや外部記録媒体により実現される態様でもよい。
【００３５】
撮影条件とは、画像データを撮影したときの条件を特定する情報であり、写真館、写真スタジオ、撮影者又は撮影シーンの何れか１つを特定する情報であることが好ましい。
【００３６】
写真館を特定する情報は、画像データを撮影した写真館を特定する情報であり、例えば、写真館Ａ、写真館Ｂ等の情報を挙げることができる。
【００３７】
写真スタジオを特定する情報は、画像データを撮影した撮影現場である写真館の写真スタジオを特定する情報であり、例えば、写真スタジオＡ、写真スタジオＢ等の情報を挙げることができる。
【００３８】
撮影者を特定する情報は、画像データを撮影した撮影者を特定する情報であり、例えば、撮影者Ａ、撮影者Ｂ等の情報を挙げることができる。
【００３９】
撮影シーンを特定する情報は、画像データを撮影した撮影状況を特定する情報であり、例えば、新婦立ち写真、婚礼用集合写真、証明写真等の情報を挙げることができる。
【００４０】
かかる撮影条件を決定する方法は、前記画像データ取得手段で取得した画像データに付帯情報として付加された情報により決定される方法や、キーボード４００やマウス５００等の入力手段によりオペレータによる撮影条件の入力を受け付けて決定する方法があるが、これに限定されることはない。
【００４１】
また、プリント余白条件は、最終的なプリントの余白を決定するための条件を示す情報である。プリント余白条件は、余白となる部分の長さを指定する情報であっても良いし、余白となる部分の全体との比率を指定するものであってもよい。
【００４２】
余白となる部分の長さの指定は、例えば、図３に示すようなプリントを作成する場合に、プリント１についてみると、対象画像部２の上余白部３の長さＹ１と対象画像部２の下余白部４の長さＹ２とを指定する情報である。
【００４３】
余白となる部分の全体との比率の指定は、例えば、図４に示すようなプリントを作成する場合に、プリント１についてみると、対象画像部２の上余白部３の比率Ｋ１と対象画像部２の下余白部４の比率Ｋ２とを指定する情報である。
【００４４】
撮影条件に対応づけられたプリント余白条件は記憶手段に記憶されており、例えば、図５に示すデータテーブルが記憶されている。図５に示すデータテーブルは、撮影条件として写真館を特定する情報が採用された場合を例に挙げて示している。
【００４５】
また、記憶手段に記憶されたプリント余白条件の他の態様としては、図６乃至図８に示すように、撮影条件毎にプリントサイズと関連づけて記憶されていることが好ましい。プリントサイズが指定された場合に、プリントサイズに応じたプリント余白条件のプリントを得ることができるからである。
【００４６】
例えば、図６は、写真館Ａで撮影された画像データについてプリントサイズ毎にどのようなプリント余白条件にするのかを指定したテーブルであり、図７は、写真館Ｂで撮影された画像データについてのテーブルであり、図８は、写真館Ｃについてのテーブルである。このようなテーブルを設けることによって、異なるプリントサイズに応じた最適な画像位置のプリントを得られるからである。
【００４７】
図６乃至図８に示すように、プリントサイズとしてプリントサイズ名称を用いて具体的な数値をデータテーブル上に記憶しない場合、例えば、プリント余白条件のテーブルと共に、図９に示すプリントサイズ名称と具体的な数値を関連づけたテーブルを設ける。このようにすることによって、プリントサイズを指定したプリントを行う際に、具体的なプリントサイズの数値とプリント余白条件を容易に決定することができるので好ましい。
【００４８】
次に、本発明のプリント用画像データ生成プログラムによって制御されて実現するプリント用画像データ生成システムの動作について以下詳細に説明する。
【００４９】
図１０は、本発明のプリント用画像データ生成プログラムによって制御される図１のプリント用画像データ生成システムの処理フローを示す図である。
【００５０】
図１０において、画像データ取得手段において画像データを取得する（Ｓ１）。
【００５１】
画像データ取得のトリガーとしては、キーボード４００やマウス５００等の入力手段によりユーザが入力した画像データを入力する旨の指示を受け付けたこと、あるいはコンピュータ１００のメイン制御部１が自動的に所定のタイミングと判断したことがトリガーとなる。
【００５２】
画像データの取得は、画像データ取得手段において制御部の制御に基づいて画像データを取得することによりなされる。具体的には、上記のいずれかのトリガーがあったと判断されたときに、画像データ入力部１０３を介してＣＤ−Ｒドライブ２００等の画像データ取得手段で取得したり、外部通信部１０９を介して通信サーバ等の外部記録装置に記録された画像データをネットワークカードやＬＡＮカード等の画像データ取得手段で取得する。
【００５３】
取得する画像データの形式は特に限定されず、例えばＴＩＦＦ、ＪＰＥＧ、ＧＩＦ等のフォーマットのデータを用いることができる。
【００５４】
次いで、記憶手段に記憶されたプリント余白条件から取得した画像データの撮影条件に対応するプリント余白条件を選択手段において選択する（Ｓ２）。
【００５５】
選択手段でプリント余白条件を選択するもととなる画像データの撮影条件は、画像データ取得手段において画像データと共に当該画像データの撮影条件を付帯情報として取得してもよいし、キーボード４００やマウス５００等の入力手段によりオペレータにより入力させてもよい。
【００５６】
取得した画像データの撮影条件が決定されると、選択処理部１０５により決定された撮影条件に基づいてプリント余白条件を選択する。このとき選択処理部１０５は、記憶手段に記憶されたデータテーブルに基づいて撮影条件に対応するプリント余白条件を選択する。
【００５７】
プリント余白条件が選択されると、拡大縮小手段により、選択されたプリント余白条件に基づき取得された画像データを拡大又は縮小した画像データを生成する（Ｓ３）。
【００５８】
選択処理部１０５によりプリント余白条件が選択されると、拡大縮小手段である拡大・縮小処理部１０６が取得した画像データを拡大又は縮小する処理を行う。
【００５９】
拡大縮小手段における拡大縮小は、具体的には、プリント余白条件として余白となる部分の長さが指定された場合（第１の態様）とプリント余白条件として余白となる部分の全体との比率が指定された場合（第２の態様）とで異なる。
【００６０】
拡大縮小手段の第１の態様は図３に示すように、Ｐ１＝Ｌ１−（Ｙ１＋Ｙ２）が画像データの対象画像部の長さとなるように拡大又は縮小する。即ち、プリント１の長さＬ１から上余白部３の長さＹ１と下余白部４の長さＹ２とを差し引いて対象画像部２の長さＰ１を決定する。対象画像部２の長さＰ１を決定したら、取得した画像データの対象画像部の長さが、該対象画像部２の長さＰ１と同じ長さになるように、画像データを拡大又は縮小する。
【００６１】
一方、拡大縮小手段の第２の態様は図４に示すように、Ｐ２＝Ｌ２−（ａ＋ｂ）：ａ＝Ｌ２×Ｋ１，ｂ＝Ｌ２×Ｋ２が画像データの対象画像部の長さとなるように拡大又は縮小する。即ち、プリント１の長さＬ２と上余白部３の比率Ｋ１とから、上余白部３の長さａ＝Ｌ２×Ｋ１を算出し、同様に、下余白部４の比率Ｋ２から、下余白部４の長さｂ＝Ｌ２×Ｋ２を算出する。算出した上余白部３の長さａと下余白部４の長さｂとをプリント１の長さＬ２から差し引いて対象画像部２の長さＰ２を決定する。対象画像部２の長さＰ２を決定したら、取得した画像データの対象画像部の長さが、該プリント１の対象画像部２の長さＰ２と同じ長さになるように、画像データを拡大又は縮小する。
【００６２】
拡大縮小手段において拡大又は縮小を行う際、画像データの対象画像部の長さが特定されている。
【００６３】
画像データの対象画像部の長さは、プリントの中心となる画像部分の長さである。拡大縮小手段において拡大又は縮小を行うときは、該対象画像部の長さをプリントの長さから差し引いた長さを余白の長さとしている。
【００６４】
かかる画像データの対象画像部の長さの特定は、予め画像データに記録されていてもよいし、画像データ毎に、拡大縮小する際に特定してもよい。画像データ毎に拡大縮小する際に特定する場合、ソフトウエアにより画像の判定を行って自動的に特定してもよいし、拡大縮小処理前の画像データをモニタ３００等の表示手段上に表示させてキーボード４００又はマウス５００等の入力手段によりオペレータにより入力を行わせて特定してもよい。
【００６５】
オペレータによる入力の場合、例えば、図１１に示すように拡大縮小処理前の画像データ１０を表示手段上に表示させる。表示された画像データ１０の対象画像部１１の上端部１２及び下端部１３をマウス５００等のポインティングデバイスにより選択させる。該選択に基づいて対象画像部１１の上端部１２の座標位置Ｘ１と下端部１３の座標位置Ｘ２とを決定して（Ｘ２の座標）−（Ｘ１の座標）を対象画像部の長さと特定することができる。
【００６６】
このようにして画像データが拡大又は縮小されると、メイン制御部１０１により選択処理部１０５において選択されたプリント余白条件をもとに余白部分も含めた例えば図３又は図４にプリント１として示すようなプリント用画像データが生成される。
【００６７】
生成されたプリント用画像データは、プリント用画像データ出力部１０８を介して、プリンタ６００等のプリント手段に出力されプリントされて商品プリントが得られる。生成されたプリント用画像データは、プリンタ６００に出力されなくても、外部通信部１０９を介して通信回線で接続されたプリント手段に出力されてもよい。
【００６８】
プリント手段は、特に限定されず、レーザープリント、インクジェット、印画紙プリントなどのいずれの手段であってもよい。
【００６９】
以上の実施態様では、プリント余白条件が長さ（縦）方向に設定される場合を例に挙げて説明したが、プリント余白条件は、長さ（縦）方向に限らず、幅（横）方向に設定することもできる。
【００７０】
また、上記の態様では、メイン制御部１０１と表示制御部１０４、選択処理部１０５、拡大縮小処理部１０６とを別々の装置として説明したが、各制御及び処理を行うためのプログラムを記憶したＲＯＭやＲＡＭ等の主記憶装置と該プログラムを演算処理するＣＰＵ等の演算装置により一体として構成することができる。
【００７１】
本発明のプログラムは、集配ラボなどのコンピュータにインストールしたりして実施可能になるが、インストールする手段は本発明のプログラムを記憶保存してなる記録媒体を介して行ってもよいし、あるいはネット経由でプログラムをダウンロードしてもよい。
【００７２】
【発明の効果】
本発明によれば、トリミング作業が簡略化できるプリント用画像データ生成システム、プリント作成システム及びプリント用画像データ生成プログラムを提供することができる。
【図面の簡単な説明】
【図１】本発明のプリント用画像データ生成プログラムを実現するプリント用画像データ生成システムの概略構成の一例を示す図
【図２】プリント用画像データ生成システムに用いられるコンピュータのブロック図
【図３】プリント余白条件の一例を説明するための図
【図４】プリント余白条件の他の一例を説明するための図
【図５】プリント余白条件を決定するテーブルの一例を示す図
【図６】プリント余白条件を決定するテーブルの他の一例を示す図
【図７】プリント余白条件を決定するテーブルの他の一例を示す図
【図８】プリント余白条件を決定するテーブルの他の一例を示す図
【図９】プリントサイズ名称から具体的な数値を決定するテーブルの一例を示す図
【図１０】本発明のプリント用画像データ生成プログラムによって制御される図１のプリント用画像データ生成システムの処理フローを示す図
【図１１】オペレータによる画像データの対象画像部の特定を説明するための図
【符号の説明】
１００：コンピュータ
１０１：メイン制御部
１０２：主記憶部
１０３：画像データ入力部
１０４：表示制御部
１０５：選択処理部
１０６：拡大・縮小処理部
１０７：操作入力部
１０８：プリント用画像データ出力部
１０９：外部通信部
２００：ＣＤ−Ｒドライブ
３００：モニタ
４００：キーボード
５００：マウス
６００：プリンタ
１：プリント
２：プリント画像
３：上余白部
４：下余白部
１０：画像データ
１１：対象画像
１２：上端部
１３：下端部
【図１】
2005041003.tif 000003
【図２】
2005041003.tif 000004
【図３】
2005041003.tif 000005
【図４】
2005041003.tif 000006
【図５】
2005041003.tif 000007
【図６】
2005041003.tif 000008
【図７】
2005041003.tif 000009
【図８】
2005041003.tif 000010
【図９】
2005041003.tif 000011
【図１０】
2005041003.tif 000012
【図１１】
2005041003.tif 000013